【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
サブフレームのサブセットを示すシグナリングを受信することと、
物理ダウンリンク共有チャネル（ＰＤＳＣＨ）上でデータを送信するためのサブフレームのセットからのサブフレームの前記サブセットを備える送信時間インターバル（ＴＴＩ）バンドルを識別することと、
サブフレームの前記サブセットにおいて前記ＰＤＳＣＨ上で前記データを受信することと、
を備える、ユーザ機器（ＵＥ）によるワイヤレス通信のための方法。
【請求項２】
前記データは、周波数分割デュプレックス（ＦＤＤ）または時分割デュプレックス（ＴＤＤ）のフレーム構造内にある、請求項１に記載の方法。
【請求項３】
サブフレームの前記サブセットにおける少なくとも１つのサブフレームにおいて送信するように構成された別の信号を識別することと、
前記識別に応答してアクションを取ることと、をさらに備える、請求項１に記載の方法。
【請求項４】
前記アクションを取ることは、サブフレームの前記サブセットにおけるマルチメディアブロードキャスト単一周波数ネットワーク（ＭＢＳＦＮ）サブフレームのためのエラーイベントを宣言することを備える、請求項３に記載の方法。
【請求項５】
サブフレームのサブセットの表示をシグナリングすることと、
物理ダウンリンク共有チャネル（ＰＤＳＣＨ）上でデータを送信するためのサブフレームのセットからのサブフレームの前記サブセットを備える送信時間インターバル（ＴＴＩ）バンドルを識別することと、
サブフレームの前記サブセットにおいて前記ＰＤＳＣＨ上で前記データを送信することと、
を備える、基地局（ＢＳ）によるワイヤレス通信のための方法。
【請求項６】
サブフレームの前記サブセットは、システム情報ブロック（ＳＩＢ）を有するＰＤＳＣＨのためのマルチメディアブロードキャスト単一周波数ネットワーク（ＭＢＳＦＮ）サブフレームではないサブフレームを備える、請求項５に記載の方法。
【請求項７】
サブフレームの前記サブセットにおける少なくとも１つのサブフレームにおいて送信するように構成された別の信号を識別することと、
前記識別に応答してアクションを取ることと、をさらに備える、請求項５に記載の方法。
【請求項８】
前記ＰＤＳＣＨは、ページング、システム情報ブロードキャスト、またはランダムアクセス応答の少なくとも１つのためのものであり、
前記別の信号は、チャネル状態情報（ＣＳＩ）基準信号（ＲＳ）を備え、
前記アクションを取ることは、サブフレームの前記サブセットにおいて前記ＰＤＳＣＨを前記ＣＳＩ−ＲＳでパンクチャすること、または前記ＣＳＩ−ＲＳにより占有されたリソースエレメント（ＲＥ）のまわりで前記ＰＤＳＣＨのためのレートマッチングを実行することのうちの少なくとも１つを備える、請求項７に記載の方法。
【請求項９】
前記別の信号は、基準信号（ＲＳ）を備え、
前記アクションを取ることは、前記ＲＳをドロップすることを備える、請求項７に記載の方法。
【請求項１０】
前記ＲＳは、チャネル状態情報（ＣＳＩ）基準信号（ＣＳＩ−ＲＳ）を備え、
前記ドロップすることは、
ページングのためのＴＴＩバンドリングのための全ての可能性のあるサブフレームと、
ページングのためのＴＴＩバンドリングに含まれるセル特有のサブフレームと、
システム情報ブロードキャスト（ＳＩＢ）を有するブロードキャストＰＤＳＣＨのためのサブフレームの前記サブセットと、
サブフレームの前記サブセットの第１のサブフレームと、
のうちの少なくとも１つにおいて前記ＣＳＩ−ＲＳをドロップすることを備える、請求項９に記載の方法。
【請求項１１】
前記ＲＳは、ポジショニング基準信号（ＰＲＳ）を備え、
前記ＲＳを前記ドロップすることは、サブフレームの前記サブセットの第１のサブフレームにおいて前記ＰＲＳをドロップすることを備え、
サブフレームの前記サブセットの残りのサブフレームにおいてＰＤＳＣＨ送信をドロップすることまたは部分的にドロップすることをさらに備える、請求項９に記載の方法。
【請求項１２】
前記ＲＳは、ポジショニング基準信号（ＰＲＳ）を備え、
前記ＲＳを前記ドロップすることは、サブフレームの前記サブセットにおいて前記ＰＲＳをドロップすることを備える、請求項９に記載の方法。
【請求項１３】
前記アクションを取ることは、サブフレームの前記サブセットにおけるマルチブロードキャスト単一周波数ネットワーク（ＭＢＳＦＮ）サブフレーム内のＵＥ特有のＲＳまたはセル特有の基準信号（ＣＲＳ）に基づいてＰＤＳＣＨを送信することを備える、請求項７に記載の方法。
【請求項１４】
サブフレームのサブセットを示すシグナリングを受信するための手段と、
物理ダウンリンク共有チャネル（ＰＤＳＣＨ）上でデータを送信するためのサブフレームのセットからのサブフレームの前記サブセットを備える送信時間インターバル（ＴＴＩ）バンドルを識別するための手段と、
サブフレームの前記サブセットにおいて前記ＰＤＳＣＨ上で前記データを受信するための手段と、
を備える、ユーザ機器（ＵＥ）によるワイヤレス通信のための装置。
【請求項１５】
サブフレームのサブセットの表示をシグナリングするための手段と、
物理ダウンリンク共有チャネル（ＰＤＳＣＨ）上でデータを送信するためのサブフレームのセットからのサブフレームのサブセットを備える送信時間インターバル（ＴＴＩ）バンドルを識別するための手段と、
サブフレームの前記サブセットにおいて前記ＰＤＳＣＨ上で前記データを送信するための手段と、
を備える、基地局（ＢＳ）によるワイヤレス通信のための装置。
【手続補正２】
【補正対象書類名】明細書
【補正対象項目名】００８１
【補正方法】変更
【補正の内容】
【００８１】
［0087］  上記は、本開示の実施形態に関するものであるが、本開示の他の実施形態およびさらなる実施形態が、その基本的な範囲から逸脱せずに考案されることができ、その範囲は、下記の特許請求の範囲によって決定される。
以下に本願の出願当初の特許請求の範囲に記載された発明を付記する。
[Ｃ１]  物理ダウンリンク共有チャネル（ＰＤＳＣＨ）上でデータを送信するためのサブフレームのセットからのサブフレームのサブセットを備える送信時間インターバル（ＴＴＩ）バンドルを識別することと、
サブフレームの前記サブセットにおいて前記ＰＤＳＣＨ上で前記データを受信することと、を備える、ユーザ機器（ＵＥ）によるワイヤレス通信のための方法。
[Ｃ２]  前記ＰＤＳＣＨは、ブロードキャストまたはユニキャストである、Ｃ１に記載の方法。
[Ｃ３]  前記データは、周波数分割デュプレックス（ＦＤＤ）または時分割デュプレックス（ＴＤＤ）のフレーム構造内にある、Ｃ１に記載の方法。
[Ｃ４]  サブフレームの前記サブセットを示すシグナリングを受信することをさらに備える、Ｃ１に記載の方法。
[Ｃ５]  サブフレームの前記サブセットは、ブロードキャストＰＤＳＣＨのためのマルチブロードキャスト単一周波数ネットワーク（ＭＢＳＦＮ）サブフレームではないサブフレームを備える、Ｃ１に記載の方法。
[Ｃ６]  サブフレームの前記サブセットにおける少なくとも１つのサブフレームにおいて送信するように構成された別の信号を識別することと、
前記識別に応答してアクションを取ることと、をさらに備える、Ｃ１に記載の方法。
[Ｃ７]  前記ＰＤＳＣＨは、ページング、システム情報ブロードキャスト、またはランダムアクセス応答のうちの少なくとも１つのためのものであり、
前記別の信号は、チャネル状態情報（ＣＳＩ）基準信号（ＣＳＩ−ＲＳ）を備え、
前記アクションを取ることは、サブフレームの前記サブセットにおいて前記ＰＤＳＣＨを前記ＣＳＩ−ＲＳでパンクチャすること、または前記ＣＳＩ−ＲＳにより占有されたリソースエレメント（ＲＥ）のまわりで前記ＰＤＳＣＨのためのレートマッチングを実行することのうちの少なくとも１つを備える、Ｃ６に記載の方法。
[Ｃ８]  前記別の信号は、基準信号（ＲＳ）を備え、
前記アクションを取ることは、前記ＲＳをドロップすることを備える、Ｃ６に記載の方法。
[Ｃ９]  前記ＲＳは、チャネル状態情報（ＣＳＩ）基準信号（ＣＳＩ−ＲＳ）を備え、
前記ＲＳを前記ドロップすることは、
ページングのためのＴＴＩバンドリングのための全ての可能性のあるサブフレームと、
ページングのためのＴＴＩバンドリングに含まれるセル特有のサブフレームと、
システム情報ブロードキャスト（ＳＩＢ）を有するブロードキャストＰＤＳＣＨのためのサブフレームの前記サブセットと、
サブフレームの前記サブセットの第１のサブフレームと、
のうちの少なくとも１つにおいて前記ＣＳＩ−ＲＳをドロップすることを備える、Ｃ８に記載の方法。
[Ｃ１０]  前記ＲＳは、ポジショニング基準信号（ＰＲＳ）を備え、
前記ＲＳを前記ドロップすることは、サブフレームの前記サブセットの第１のサブフレームにおいて前記ＰＲＳをドロップすることを備え、
サブフレームの前記サブセットの残りのサブフレームにおいてＰＤＳＣＨ送信をドロップすることまたは部分的にドロップすることをさらに備える、Ｃ８に記載の方法。
[Ｃ１１]  前記ＲＳは、ポジショニング基準信号（ＰＲＳ）を備え、
前記ＲＳを前記ドロップすることは、サブフレームの前記サブセットにおいて前記ＰＲＳをドロップすることを備える、Ｃ８に記載の方法。
[Ｃ１２]  前記アクションを取ることは、サブフレームの前記サブセットにおいてマルチブロードキャスト単一周波数ネットワーク（ＭＢＳＦＮ）サブフレームを復号することをスキップすることを備える、Ｃ６に記載の方法。
[Ｃ１３]  前記アクションを取ることは、サブフレームの前記サブセットにおけるマルチブロードキャスト単一周波数ネットワーク（ＭＢＳＦＮ）サブフレーム内のＵＥ特有のＲＳまたはセル特有の基準信号（ＣＲＳ）に基づいてＰＤＳＣＨを受信することを備える、Ｃ６に記載の方法。
[Ｃ１４]  前記アクションを取ることは、サブフレームの前記サブセットにおけるマルチブロードキャスト単一周波数ネットワーク（ＭＢＳＦＮ）サブフレームのためのエラーイベントを宣言することを備える、Ｃ６に記載の方法。
[Ｃ１５]  物理ダウンリンク共有チャネル（ＰＤＳＣＨ）上でデータを送信するためのサブフレームのセットからのサブフレームのサブセットを備える送信時間インターバル（ＴＴＩ）バンドルを識別することと、
サブフレームの前記サブセットにおいて前記ＰＤＳＣＨ上で前記データを送信することと、を備える、基地局（ＢＳ）によるワイヤレス通信のための方法。
[Ｃ１６]  前記ＰＤＳＣＨは、ブロードキャストまたはユニキャストである、Ｃ１５に記載の方法。
[Ｃ１７]  前記データは、周波数分割デュプレックス（ＦＤＤ）または時分割デュプレックス（ＴＤＤ）のフレーム構造内にある、Ｃ１５に記載の方法。
[Ｃ１８]  サブフレームの前記サブセットの表示をシグナリングすることをさらに備える、Ｃ１５に記載の方法。
[Ｃ１９]  サブフレームの前記サブセットは、システム情報ブロック（ＳＩＢ）を有するＰＤＳＣＨのためのマルチメディアブロードキャスト単一周波数ネットワーク（ＭＢＳＦＮ）サブフレームではないサブフレームを備える、Ｃ１５に記載の方法。
[Ｃ２０]  サブフレームの前記サブセットにおける少なくとも１つのサブフレームにおいて送信するように構成された別の信号を識別することと、
前記識別に応答してアクションを取ることと、をさらに備える、Ｃ１５に記載の方法。
[Ｃ２１]  前記ＰＤＳＣＨは、ページング、システム情報ブロードキャスト、またはランダムアクセス応答の少なくとも１つのためのものであり、
前記別の信号は、チャネル状態情報（ＣＳＩ）基準信号（ＲＳ）を備え、
前記アクションを取ることは、サブフレームの前記サブセットにおいて前記ＰＤＳＣＨを前記ＣＳＩ−ＲＳでパンクチャすること、または前記ＣＳＩ−ＲＳにより占有されたリソースエレメント（ＲＥ）のまわりで前記ＰＤＳＣＨのためのレートマッチングを実行することのうちの少なくとも１つを備える、Ｃ２０に記載の方法。
[Ｃ２２]  前記別の信号は、基準信号（ＲＳ）を備え、
前記アクションを取ることは、前記ＲＳをドロップすることを備える、Ｃ２０に記載の方法。
[Ｃ２３]  前記ＲＳは、チャネル状態情報（ＣＳＩ）基準信号（ＣＳＩ−ＲＳ）を備え、
前記ドロップすることは、
ページングのためのＴＴＩバンドリングのための全ての可能性のあるサブフレームと、
ページングのためのＴＴＩバンドリングに含まれるセル特有のサブフレームと、
システム情報ブロードキャスト（ＳＩＢ）を有するブロードキャストＰＤＳＣＨのためのサブフレームの前記サブセットと、
サブフレームの前記サブセットの第１のサブフレームと、
のうちの少なくとも１つにおいて前記ＣＳＩ−ＲＳをドロップすることを備える、Ｃ２２に記載の方法。
[Ｃ２４]  前記ＲＳは、ポジショニング基準信号（ＰＲＳ）を備え、
前記ＲＳを前記ドロップすることは、サブフレームの前記サブセットの第１のサブフレームにおいて前記ＰＲＳをドロップすることを備え、
サブフレームの前記サブセットの残りのサブフレームにおいてＰＤＳＣＨ送信をドロップすることまたは部分的にドロップすることをさらに備える、Ｃ２２に記載の方法。
[Ｃ２５]  前記ＲＳは、ポジショニング基準信号（ＰＲＳ）を備え、
前記ＲＳを前記ドロップすることは、サブフレームの前記サブセットにおいて前記ＰＲＳをドロップすることを備える、Ｃ２２に記載の方法。
[Ｃ２６]  前記アクションを取ることは、サブフレームの前記サブセットにおけるマルチブロードキャスト単一周波数ネットワーク（ＭＢＳＦＮ）サブフレーム内のＵＥ特有のＲＳまたはセル特有の基準信号（ＣＲＳ）に基づいてＰＤＳＣＨを送信することを備える、Ｃ２０に記載の方法。
[Ｃ２７]  物理ダウンリンク共有チャネル（ＰＤＳＣＨ）上でデータを送信するためのサブフレームのセットからのサブフレームのサブセットを備える送信時間インターバル（ＴＴＩ）バンドルを識別するための手段と、
サブフレームの前記サブセットにおいて前記ＰＤＳＣＨ上で前記データを受信するための手段と、を備える、ユーザ機器（ＵＥ）によるワイヤレス通信のための装置。
[Ｃ２８]  サブフレームの前記サブセットにおける少なくとも１つのサブフレームにおいて送信するように構成された別の信号を識別するための手段と、
前記識別に応答してアクションを取るための手段と、をさらに備える、Ｃ２７に記載の装置。
[Ｃ２９]  物理ダウンリンク共有チャネル（ＰＤＳＣＨ）上でデータを送信するためのサブフレームのセットからのサブフレームのサブセットを備える送信時間インターバル（ＴＴＩ）バンドルを識別するための手段と、
サブフレームの前記サブセットにおいて前記ＰＤＳＣＨ上で前記データを送信するための手段と、を備える、基地局（ＢＳ）によるワイヤレス通信のための装置。
[Ｃ３０]  サブフレームの前記サブセットにおける少なくとも１つのサブフレームにおいて送信するように構成された別の信号を識別するための手段と、
前記識別に応答してアクションを取るための手段と、をさらに備える、Ｃ２９に記載の装置。